(57)【要約】 【課題】  建築用足場を構築するに際し、所定間隔を保って立設する建枠の間に架設するための足場用踏板であって、縦方向に連なる複数の足場用踏板の互いの両端部に間隙が生じないようにした新規の足場用踏板の提供を計る。【解決手段】  長手方向両端面の両側部に架設用つかみ金具２を突設して成る公知の足場用踏板主体１において、当該両端面の中央に、上面3ａを当該足場用踏板主体１と同一水平面とするように連ねるための水平面とするようにして成る側面直角三角形状を呈する隙間埋め材３を付加的に固設するように構成した足場用踏板。【選択図】  図１
2010159573.tif 000002
【特許請求の範囲】
【請求項１】
両端面の両側部に架設用つかみ金具(２)を突設して成る公知の足場用踏板主体(１)に於いて、当該両端面の中央に、上面(3ａ)を当該足場用踏板主体１と同一水平面とするための水平面とした側面直角三角形状を呈する隙間埋め材(３)を、付加的に固設するように構成した足場用踏板。
【請求項２】
両端面の両側部に架設用つかみ金具(２)を突設して成る公知の足場用踏板主体(１)に於いて、当該両端面の中央に、上面(3ａ)を当該足場用踏板主体(１)と同一水平面とするための水平面とした側面直角三角形状を呈する隙間埋め材(３)を、付加的に固設すると共に、
当該隙間埋め材(３)は、その長さ方向の幅寸法(Ｍ)が、架設用つかみ金具(２)を掛け止めるための足場構築用建枠(Ａ)における管状横架材(ａ)に対して、その中心軸線を越えない位置にしてかつその上方位置に先端が臨まされる程度の寸法とするように構成した足場用踏板。
【請求項３】
両端面の両側部に架設用つかみ金具(２)を突設して成る公知の足場用踏板主体(１)に於いて、当該両端面の中央に、上面(3ａ)を当該足場用踏板主体(１)と同一水平面とするための水平面とした側面直角三角形状を呈する隙間埋め材(３)を、付加的に固設すると共に、
当該隙間埋め材(３)は、その長さ方向の幅寸法(Ｍ)が、架設用つかみ金具(２)を掛け止めるための足場構築用建枠(Ａ)における管状横架材(ａ)に対して、その中心軸線を越えない位置にしてかつその上方位置に先端が臨まされる程度の寸法とし、
更に、その横幅寸法(Ｌ)を足場用階段(Ｂ)のつかみ金具(ｂ)の間隔より内輪とする寸法に設定するように構成した足場用踏板。
【請求項４】
隙間埋め材(３)として、一枚の板材を折曲げて成形したものを用いるように構成した請求項１乃至請求項3の何れかに記載の足場用踏板。
【請求項５】
隙間埋め材(３)として、引き抜き加工に基づき三角形のパイプ状に成形したものを用いるように構成した請求項１乃至請求項3の何れかに記載の足場用踏板。
【発明の詳細な説明】
【技術分野】
【０００１】
本発明は建築用足場を構築するに際し、所定間隔を保って立設する建枠の間に架設するための足場用踏板に関する。
【背景技術】
【０００２】
従来、建造物等の建築のために足場を形成するに際しては、所要数所定間隔を保って対向させた建枠の夫々の間に、足場用踏板を水平状態で架設すること通例とする。  そして、当該足場用踏板の架設は、その両端に突設するつかみ金具を、建枠の水平杆部分に引っ掛けてその固定化を図るものである。
【０００３】
ところで、上述したような形態で、各建枠間に足場用踏板を水平にかつ一列状に架設した場合、当該踏板の夫々の端部の対向部分には、必然的に隙間が生じてしまうこととなる。  すなわち、足場用の踏板の両端部の両側につかみ金具を突出させて形成してあるため、当該突出状態のつかみ金具を、建枠の水平杆部分に引っ掛けた場合、各足場用踏板の端縁間には、当該つかみ金具の突出長さ分の空間的隙間が生じてしまうこととなる。  そして、このような空間的隙間の存在は、作業員が足を引っ掛けて重大事故を招いてしまったり、作業用の部品を落下させてしまったりするような問題が生じることを余儀なくされた。
【０００４】
従来、このような問題を解決するための手段としては、当該空間的隙間を埋めるために、足場用踏板の端縁長さとほぼ等しい長さを具えた巾木状の板材を用い、当該巾木状の板材の嵌め込むように構成したものがある（例えば、特許文献１参照。）
【０００５】
【特許文献１】特開２００８−５０９３９号公報
【発明の開示】
【発明が解決しようとする課題】
【０００６】
上述したような巾木状の板材で、各足場用踏板の端部空間を埋めるように構成したものであると、当該巾木状板材が別体部材であるため、各足場用踏板を架設した後に、これを嵌め込まなければならないため、足場構築用作業の煩雑性が伴うばかりでなく、そのための作業時間も掛かってしまうこととなった。  更に、当該巾木状の板材を、足場用踏板とは別個に保管し、使用する足場用踏板に合せてその数量を用意しなければならないというような保管上の煩雑性が伴うことを余儀なくされた。
【０００７】
本発明はこのような従来の問題の解消化を図った新規の足場用踏板の提供を図ったものである。
【課題を解決するための手段】
【０００８】
本発明は請求項１に記載したように、両端面の両側部に架設用つかみ金具２を突設して成る公知の足場用踏板主体１に於いて、当該両端面の中央に、上面3ａを当該足場用踏板主体１と同一水平面とするための水平面とした側面直角三角形状を呈する隙間埋め材３を、付加的に固設するように構成した足場用踏板に係るものである。
【０００９】
本発明は請求項２に記載したように、両端面の両側部に架設用つかみ金具２を突設して成る公知の足場用踏板主体１に於いて、当該両端面の中央に、上面3ａを当該足場用踏板主体１と同一水平面とするための水平面とした側面直角三角形状を呈する隙間埋め材３を、付加的に固設すると共に、当該隙間埋め材３は、その長さ方向の幅寸法Ｍが、架設用つかみ金具２を掛け止めるための足場構築用建枠Ａにおける管状横架材ａに対して、その中心軸線を越えない位置にしてかつその上方位置に先端が臨まされる程度の寸法とするように構成した足場用踏板を実施の態様とする。
【００１０】
本発明は請求項３に記載したように、両端面の両側部に架設用つかみ金具２を突設して成る公知の足場用踏板主体１に於いて、当該両端面の中央に、上面3ａを当該足場用踏板主体１と同一水平面とするための水平面とした側面直角三角形状を呈する隙間埋め材３を、付加的に固設すると共に、当該隙間埋め材３は、その長さ方向の幅寸法Ｍが、架設用つかみ金具２を掛け止めるための足場構築用建枠Ａにおける管状横架材ａに対して、その中心軸線を越えない位置にしてかつその上方位置に先端が臨まされる程度の寸法とし、更に、その横幅寸法Ｌを足場用階段Ｂのつかみ金具ｂの間隔より内輪とする寸法に設定するように構成した足場用踏板を実施の態様とする。
【００１１】
本発明は請求項４に記載したように、隙間埋め材３として、一枚の板材を折曲げて成形したものを用いるように構成した請求項１乃至請求項3の何れかに記載の足場用踏板を実施の態様とする。
【００１２】
本発明は請求項５に記載したように、隙間埋め材３として、引き抜き加工に基づき三角形のパイプ状に成形したものを用いるように構成した請求項１乃至請求項3の何れかに記載の足場用踏板を実施の態様とする。
【発明の効果】
【００１３】
本発明は請求項１に記載したような構成、すなわち、両端面の両側部に架設用つかみ金具２を突設して成る公知の足場用踏板主体１に於いて、当該両端面の中央に、上面3ａを当該足場用踏板主体１と同一水平面とするための水平面とした側面直角三角形状を呈する隙間埋め材３を、付加的に固設するように構成したから、複数の建枠Ａを介して一直線状に並べられた各足場用踏板主体１の突合せ間隙部（建枠Ａの管状横架材ａに架設した部分の間隙）は、夫々の足場用踏板主体１に固設されている隙間埋め材３によって、当該間隙部分を覆うが如きカバー状態に保たれることとなり、従って、当該間隙部の存在に基づく部品の不測の落下事故、或いは、作業員が足を引っ掛けての落下事故というような事態発生を未然に防ぐこととなる。  そして、本発明はこのような作用を奏させるための隙間埋め材３を足場用踏板主体１に固設するように構成したから、これを別部品化したような従来品（例えば特許文献１に記載されたもの）において生じた、組立て作業の煩雑性と部品管理の煩雑性というような問題が全く解消されることとなる。
【００１４】
更に、本発明は公知の足場用踏板主体１に対する実施、すなわち、既に使用されている足場用踏板主体１であっても、これに隙間埋め材３を付加的に固設するだけで、上記のような作用効果を奏する本発明の実施が可能とされるものであるから、その実施は低コストで達成される。
【００１５】
本発明は請求項２に記載のような構成、すなわち、両端面の両側部に架設用つかみ金具２を突設して成る公知の足場用踏板主体１に於いて、当該両端面の中央に、上面3ａを当該足場用踏板主体１と同一水平面とするための水平面とした側面直角三角形状を呈する隙間埋め材３を、付加的に固設すると共に、当該隙間埋め材３は、その長さ方向の幅寸法Ｍが、架設用つかみ金具２を掛け止めるための足場構築用建枠Ａにおける管状横架材ａに対して、その中心軸線を越えない位置にしてかつその上方位置に先端が臨まされる程度の寸法とするように構成したから、請求項１の場合と同様な作用効果が奏される。
【００１６】
同時に、隙間埋め材３の長さ方向の幅寸法Ｍを上記のように構成したことにより、足場構築用建枠Ａにおける管状横架材ａが殆ど隠蔽されたような状態、換言すれば、各足場用踏板主体１は殆ど隙間がない状態で連続的に敷設されたような外観を呈するため、前記した間隙部分の存在に基づく事故発生をより一層防止することとなる。
【００１７】
本発明は請求項３に記載のような構成、すなわち、両端面の両側部に架設用つかみ金具２を突設して成る公知の足場用踏板主体１に於いて、当該両端面の中央に、上面3ａを当該足場用踏板主体１と同一水平面とするための水平面とした側面直角三角形状を呈する隙間埋め材３を、付加的に固設すると共に、当該隙間埋め材３は、その長さ方向の幅寸法Ｍが、架設用つかみ金具２を掛け止めるための足場構築用建枠Ａにおける管状横架材ａに対して、その中心軸線を越えない位置にしてかつその上方位置に先端が臨まされる程度の寸法とし、更に、その横幅寸法Ｌを足場用階段Ｂのつかみ金具ｂの間隔より内輪とする寸法に設定するように構成したから、前述した請求項１及び請求項２の場合と同様な作用効果が奏される。
【００１８】
同時に、隙間埋め材３の横幅寸法Ｌを足場用階段Ｂのつかみ金具ｂの間隔より内輪とする寸法に設定するように構成したから、足場用階段Ｂの取付けに際しても、当該階段Ｂの下端に固設してあるつかみ金具ｂの掛け止めを阻害しないような形態で、当該隙間埋め材３が設けられているため、足場組立て上の齟齬をきたすことがない。
【００１９】
本発明は請求項４に記載のような構成、すなわち、隙間埋め材３として、一枚の板材を折曲げて成形したものを用いるように構成することにより、当該隙間埋め材３としてスチール材を用いた簡易作業での形成が可能とされる。
【００２０】
本発明は請求項５に記載のような構成、すなわち、隙間埋め材３として、引き抜き加工に基づき三角形のパイプ状に成形したものを用いるように構成することにより、アルミ材を用いて大量生産に適した合理的かつ安価な形成形態を採ることが可能化される。
【発明を実施するための最良の形態】
【００２１】
図１及び図２は本発明に係る足場用踏板を表したものである。  １は足場用踏板主体であって、その長手方向の両端両側部には架設用つかみ金具２が突設してある。  2ａは当該つかみ金具２に設けた固定用掴み金具である。
なお、上記のような形態を具えた足場用踏板主体１は公知技術に属し、本発明はこのような既存の足場用踏板主体１に対して、付加的に施すことを特徴とするものである。
【００２２】
３はその上面3ａを水平面とする側面直角三角形状を呈する隙間埋め材であって、上述した足場用踏板主体１の前端縁1ａの中央部に対して、当該上面3ａが当該足場用踏板主体１の上面と面一状（同一水平面状）に連なるように取付けてある。  そして、その取付け手段であるが、図１に示すようにリベット４の打ち込みに基づき固定化を図ることを通例とするが、その他、螺子止め、溶接、接着剤等に基づき取付けるように構成しても良い。  4aは当該離別との打込み案内用孔を示す。
【００２３】
そして、本発明において上記取付けは付加的に行うと言うことが重要である。  換言すると、足場用踏板主体１の製造時に当該隙間埋め材３を取付ける以外、既に使用に供されている足場用踏板主体１を用いて本発明に係る足場用踏板に改良的に付設してその実施を図ることができる。  これは本発明の大きな特長の一つとするものである。
【００２４】
図３は本発明に係る足場用踏板における架設用つかみ金具２を、既存の足場構築用建枠Ａにおける管状横架材ａに対して掛け止めた状態を表した使用例を示したものである。  そして、当該既存の足場構築用建枠Ａは所定間隔を保って所要数対向状態で立設すると共に、各対向建枠間に足場用踏板を架設することにより、作業員が作業を行うための足場を構成するものである。
【００２５】
更に、上述したような組み立て状態にある足場を縦方向に所要段数連結する事により、建築対象物に即した高さとするような積み上げを行うものである。  そして、このような場合、図４に示すように、上位の足場板に上がるための足場用階段Ｂを取付けることが必要とされる。  その取付けは、当該階段Ｂの下端に固設してあるつかみ金具ｂを、上述した建枠Ａの管状横架材ａに対して掛け止めて行うが、この際、前述した足場用踏板１の架設用つかみ金具２の内側に、上記階段Ｂのつかみ金具ｂが位置するように構成されている。
【００２６】
本発明に係る足場用踏板は、図３及び図４で表したような使用を可能とするために、本発明の要旨部品たる隙間埋め材３は、下記のような形態を具えたものとするように構成してある。
【００２７】
すなわち、当該隙間埋め材３の横幅Ｌは上記した階段Ｂのつかみ金具ｂの間に位置させることを可能とするために、当該階段Ｂのつかみ金具ｂの間隔より内輪とする寸法に設定することが重要である。  更に、当該隙間埋め材３の長さ方向の幅Ｍは、架設用つかみ金具２を掛け止めるための足場構築用建枠Ａにおける管状横架材ａの中心軸線を越えずかつ当該管状横架材ａ上にその先端が臨まされる程度の寸法を具えたものとするように構成してある。  これは、複数の足場用踏板を水平方向に並べて架設した際、その互いの隙間埋め材３の端部が接触せず、かつ、あまり離れすぎない程度の間隔を保って対向させることにより、各足場用踏板間の隙間があまり生じないようするためである。
【００２８】
ところで、上記した隙間埋め材３であるが、その具体的寸法としては、長さ方向の幅Ｍを３２０ｍｍ程度することが、また、その横幅Ｌを４９,５ｍｍ程度することが好ましいが、これに限定されるものではない。
【００２９】
更に、当該隙間埋め材３は先細の三角形状に形成することにより、その先端より下面が足場構築用建枠Ａにおける管状横架材ａに接触することなく、その上面側に重なった状態で位置することが出来るように構成してある。
【００３０】
なお、当該隙間埋め材３の側面形状であるが、図５に示すように一枚の板材を折曲げて形成することを通例とするが、図６に示すように引き抜き加工に基づき三角形のパイプ状に形成するように構成して実施することもできる。  前者は主としてスチール材での形成に適しており、また、後者はアルミニウム材での形成に適している。  その他、本発明は前述したような基本的条件が網羅できるものであれば、その形成手段は如何なるものであっても可とする。
【００３１】
本発明に係る足場用踏板は既存の踏板と同様にして使用に供するものである。
そして、足場構築用建枠Ａにおける管状横架材ａに架設した状態では、その隙間埋め材３が当該架設空間を覆い、また、足場用階段Ｂの取付けに際しても、当該階段Ｂの下端に固設してあるつかみ金具ｂの掛け止めを阻害しないような形態とするように、当該隙間埋め材３が構成されているため、このような足場の組立て上に齟齬をきたすことがない。
【００３２】
更に本発明における隙間埋め材３であるが、これは足場用踏板を新規に製造する場合は、その製造作業時に同時的に付設するが、既に流通している踏板に際する実施に当たっては、現場でアダプター的固設作業を施して実施することができる。  すなわち、本発明の実施は既存の踏板に対する実施が可能であるため、実施のための経済的負担性が最小化される。
【図面の簡単な説明】
【００３３】
【図１】既存の足場用踏板に対する隙間埋め材３の取り付け直前状態を表した説明用斜視図である。
【図２】本発明に係る足場用踏板の要部を表した平面図である。
【図３】足場構築用建枠Ａにおける管状横架材ａに対する架設状態を表した説明用斜視図である。
【図４】階段Ｂを用いた足場に対して使用した場合の隙間埋め材３と、階段Ｂ側のつかみ金具ｂとの位置関係を表した説明用斜視図である。
【図５】隙間埋め材３の側面形状を表した説明用略図である。
【図６】隙間埋め材３の側面形状の他の実施例を表した説明用略図である。
【符号の説明】
【００３４】
１  足場用踏板主体
２  架設用つかみ金具
2a  固定用掴み金具
３  隙間埋め材
3a  上面
４  リベット
4a  打込み案内用孔
A   足場構築用建枠
a    管状横架材
B   足場用階段
ｂ  つかみ金具
Ｍ  長さ方向の幅寸法
Ｌ  横幅寸法  
【図１】
2010159573.tif 000003
【図２】
2010159573.tif 000004
【図３】
2010159573.tif 000005
【図４】
2010159573.tif 000006
【図５】
2010159573.tif 000007
【図６】
2010159573.tif 000008